(57)【要約】本明細書中で提供されるのは、内部で生成されるＵＶ（紫外）光を用いてデバイスの表面を自動的に消毒する自給自己消毒デバイスである。デバイスは、ドアハンドル、プッシュプレート、光スイッチ、ショッピングカート、または同様のものであり得る。デバイスは、ＵＶ−透明または半透明の物品と、光学的接続されたＵＶ光源とを備える。ドアハンドルは、プッシュハンドル、プルハンドル、プッシュプレート、回転式ドアレバー、または回転式つまみを備える。
2021526905.tif 000002
【特許請求の範囲】
【請求項１】
ＵＶ−透明または半透明の物品と、光学的接続されたＵＶ光源とを備える、デバイス。
【請求項２】
ドアを開ける手段、引き出しを開ける手段、電力スイッチ手段、光スイッチ手段、キーパッドもしくはタッチスクリーン手段、ホールドレールもしくは手すり手段、またはプッシュバー手段を備える、請求項１に記載のデバイス。
【請求項３】
前記ドアを開ける手段は、プッシュハンドル、プルハンドル、プッシュプレート、回転式ドアレバー、または回転式つまみを備える、請求項２に記載のデバイス。
【請求項４】
前記引き出しを開ける手段は、表面据え付け式プルハンドル、表面据え付け式つまみ、凹状のプルハンドル、またはばね駆動式プッシュプレートを備える、請求項２に記載のデバイス。
【請求項５】
前記電力スイッチ手段は、トグルスイッチ、ロッカースイッチ、またはプッシュボタンを備える、請求項２に記載のデバイス。
【請求項６】
前記光スイッチ手段は、トグルスイッチ、ロッカースイッチ、またはプッシュボタンを備える、請求項２に記載のデバイス。
【請求項７】
前記物品は、ＵＶ光に対して透明または半透明である、請求項１に記載のデバイス。
【請求項８】
前記物品は、アクリル、プレキシガラス、ガラス、ファイバガラス、およびＰＥＴもしくは他のサーモプラスチック、石英ガラス、溶融シリカ、ＣＯＣもしくは他の高度重合体からなる群から選択されるＵＶ−透明または半透明材料を備える、請求項７に記載のデバイス。
【請求項９】
前記ＵＶ光源は、約１００から約４００ｎｍの波長を備える光のスペクトルを発する、請求項１に記載のデバイス。
【請求項１０】
前記ＵＶ光源は、ＵＶ−Ｃバンド内の光波長を備える光のスペクトルを発する、請求項９に記載のデバイス。
【請求項１１】
前記ＵＶ光源は、約２５０から約２６０ｎｍの光波長を備える光のスペクトルを発する、請求項１０に記載のデバイス。
【請求項１２】
前記ＵＶ光源は、約２５４ｎｍの波長を有する光を備えるＵＶ光を発する、請求項１１に記載のデバイス。
【請求項１３】
前記ＵＶ光源は、約２００から約２３０ｎｍの光波長を備える光のスペクトルを発する、請求項１０に記載のデバイス。
【請求項１４】
前記ＵＶ光源は、白熱バルブ、蛍光バルブ、ハロゲンバルブ、キセノンバルブ、水銀蒸気ランプ、発光ダイオード（ＬＥＤ）、またはレーザもしくは他のコヒーレント光源を備える、請求項１に記載のデバイス。
【請求項１５】
前記光源は、電源に接続される、請求項１に記載のデバイス。
【請求項１６】
前記電源は、バッテリを備える、請求項１５に記載のデバイス。
【請求項１７】
前記電源は、誘導電源、動力学的発電機、誘導電源、または太陽光電源もしくは光電源を備える、請求項１５に記載のデバイス。
【請求項１８】
可視的電力インジケータ光をさらに備える、請求項１に記載のデバイス。
【請求項１９】
前記ＵＶ電源は、継続的に動作する、請求項１に記載のデバイス。
【請求項２０】
前記ＵＶ光源は、ＵＶ光のタイムパルスを発する、請求項１に記載のデバイス。
【請求項２１】
前記ＵＶ光源は、挙動作動式、使用作動式、または学習もしくは他の行列式アルゴリズムによる作動である、請求項１に記載のデバイス。
【請求項２２】
物体の表面を消毒する方法を統合、活用、使用、または適用するデバイスであって、前記表面を含む前記物体の少なくとも一部は、ＵＶ光透過性（半透明または透明）材料から製造され、前記ＵＶ光源（単数または複数）は、前記物体の近傍、中、下、または内側に統合され、ＵＶ光は、前記表面を消毒するように、近傍、中、下、または内側から前記表面に継続的または定期的に付与される、デバイス。
【請求項２３】
ＵＶ光を作動するように構成されるＵＶ光スイッチをさらに備え、ドアを開ける手段の動作はまた、前記ＵＶ光を作動する、請求項１に記載のデバイス。
【発明の詳細な説明】
【技術分野】
【０００１】
本明細書中で説明されるのは、ＵＶ−透明もしくは半透明の物品と、少なくとも１つの光学的に接続されたＵＶ光源とを備えるデバイスである。ＵＶ光源は、ＵＶ光または放射を物品の表面に透過することによって、物品の表面を自動的に消毒するように作用する。
【発明の概要】
【課題を解決するための手段】
【０００２】
（詳細な説明）
本明細書中で用いられる場合、「物品」は、ＵＶＣ−半透明材料またはＵＶＣ−透明材料から少なくとも部分的に製造され得る、人が接触する表面を備える。そのような表面は、ドアを開ける手段、引き出しを開ける手段、電力スイッチ手段、光スイッチ手段、手すり／ホールドレール、プッシュバー、およびキーパッドもしくはタッチスクリーン手段、天板、ならびに便座を含むが、これらに限定されない。他の「物品」は、地下鉄／バスのホールドバー、階段の柵、バルコニーの柵、ポイントオブセールスコンソール、リモートコントロール、およびキーボードを含み得るがこれらに限定されない。
【０００３】
ドアを開ける手段は、
・（鉛直向きまたは水平向きの）プッシュハンドル
・（鉛直向きまたは水平向きの）プルハンドル
・（全てのタイプの）プッシュプレート
・回転式ドアレバー
・回転式つまみ
・プッシュボタン
を備えるが、これらに限定されない。
【０００４】
引き出しを開ける手段は、
・（鉛直向きまたは水平向きの）表面据え付け式プルハンドル
・表面据え付け式つまみ
・凹状のプルハンドル
・ばね駆動式プッシュプレート
を備えるが、これらに限定されない。
【０００５】
電力スイッチ手段は、
・トグルスイッチ
・ロッカースイッチ
・プッシュボタン
を備えるが、これらに限定されない。
【０００６】
光スイッチ手段は、
・トグルスイッチ
・ロッカースイッチ
・プッシュボタン
を備えるが、これらに限定されない。
【図面の簡単な説明】
【０００７】
（図面の簡単な説明）
【図１】図１は、本明細書中で説明されるようなドアハンドルデバイスの例を図示する。デバイスは、ハンドル据え付けブラケットおよび据え付けプレートを介してドアに固着され得るＵＶ−透過可能ハンドルを含む。ブラケットおよびプレートは、ＵＶ不透明材料で構築され得る。このデバイスにおけるＵＶ光は、バッテリによって電力供給される２つのＵＶ発射ＬＥＤ（「ＵＶＥＤ」または「ＵＶ  ＬＥＤ」）によって提供される。
【０００８】
【図２】図２は、バッテリ電力供給および使用作動式消毒を含む第２の代替となるドアハンドル実施形態を図示する。
【０００９】
【図３】図３は、圧力作動式消毒を有するドアプッシュプレートを図示する。
【００１０】
【図４】図４は、自己消毒光スイッチ実施形態を示す。
【００１１】
【図５】図５は、自己消毒ハンドルを示す。
【発明を実施するための形態】
【００１２】
本明細書中で説明される物品は、少なくとも１つの光学的に接続されるＵＶ光源によって発せられるＵＶ光のスペクトルの少なくとも一部に少なくとも半透明である材料を備える。代替となる実施形態において、材料は、ＵＶ光に透明である。本明細書中で説明される物品での使用のために適切なＵＶ透明または半透明材料は、
・アクリル
・プレキシガラス
・ガラス
・ファイバガラス
・ポリエチレンテレフタラート（ＰＥＴ）または他のサーモプラスチック
・石英ガラス
・溶融シリカ
・環状オレフィン共重合体（ＣＯＣ）または他の高度重合体
を含むが、これらに限定されない。
【００１３】
当業者は、材料の選択が、物品がＵＶ光を透過する程度または大きさ、ならびに物品がＵＶ光を透過する周波数に影響を与えることを理解するであろう。
【００１４】
物品は、構造的剛性または他の所望される特徴を物品に与えるＵＶ−不透明材料をさらに備え得る。例えば、ドアハンドルは、物品の表面にＵＶ光を透過し得る金属コアならびにＵＶ−透明もしくは半透明の外側の覆いを備え得る。ＵＶ−不透明材料は、金属、セラミック、カーボンファイバ、プラスチック、または他の材料を備え得る。
【００１５】
物品またはその表面が伸長した形状または不規則な形状である例において、ＵＶ−透明／半透明材料の導波路特性は、物品の表面の全ての部分への表面消毒のために十分なＵＶ光を透過する機能を果たし得る。
【００１６】
本明細書中で説明されるデバイスはまた、紫外スペクトル内の波長の光を発する少なくとも１つのＵＶ光源を備える。本明細書中で説明される物品での使用のためのＵＶ光の適切な波長は、約１００から約４００ｎｍである。例えば、ＵＶ−Ｃバンド（約１００から約２８０ｎｍ）、約２００から約２３０ｎｍ、または約２５０から約２６０ｎｍ等に限定されるもの等の、より狭いＵＶスペクトルが採用され得る。１実施形態において、ＵＶ光スペクトルは、２５４ｎｍを含む。
【００１７】
また、当業者は、ＵＶ波長またはスペクトルの選択においてトレードオフが存在すること、およびいくつかの選択が他のものよりも特定の用途または物品に適し得ることを理解するであろう。例えば、２５４ｎｍまたは約２５４ｎｍのスペクトルは、実際の消毒に最も効果的であると広く考えられているが、（例えば約２００ｎｍから約２３０ｎｍの）より短い波長は、ＵＶ放射のこの波長のより短い皮膚の深さに起因して、依然として人の皮膚または接触を消毒し、よりこれらに安全であり得る。他の波長およびスペクトル（例えば約１００ｎｍから約２００ｎｍ）は、依然として消毒が可能であるが、光分解として公知であるプロセスを通して酸素に接触するオゾンを生成することも可能であり、可能であれば、それらの適用環境に依存して、特定の物品のためにより所望されない波長またはスペクトルのこの選択をなす。
【００１８】
所望される波長および強度のＵＶ光を発する任意の光源が、本明細書中で説明されるデバイスで採用され得る。適切な光源は、白熱バルブ、蛍光バルブ、ハロゲンバルブ、キセノンバルブ、水銀蒸気ランプ、発光ダイオード（ＬＥＤ）、およびレーザ、または他のコヒーレント光源を含むが、これらに限定されない。
【００１９】
ＵＶ光源は、外部から電力供給され得るか、または電源を備え得る。適切な電源は、
・（再充電可能なものを含む、全てのタイプの）バッテリ
・（「Ｗｉ−ｔｒｉｃｉｔｙ」を含む）誘導結合式電源
・動力学的生成式電力
・太陽光または光起電性の電力
を含むが、これらに限定されない。
【００２０】
デバイスはまた、可視的電力インジケータ光を備え得る。そのような可視的電力インジケータ光は、デバイスが適切に機能していることを示すように構成され得る。
【００２１】
ＵＶ光源は、物品の表面を消毒するために十分なデューティーサイクルで動作する。適切なデューティーサイクルは、
・連続的な電力で１００％
・１００％未満の電力デューティーサイクルのタイムパルス
・１００％未満の電力デューティーサイクルでの使用または挙動作動式パルス
・１００％未満の電力デューティーサイクルの（例えば日／時間または使用履歴に基づく）制御されたアルゴリズム
を含むが、これらに限定されない。
【００２２】
本明細書中で説明されるデバイスの１実施形態が、図１に示される。図１は、ＵＶ−透明材料で作製されるハンドル１０１を示す概略図である。ハンドル１０１は、ドア、引き出し、またはユーザがハンドルを把持して引くと開く任意の他の物品に取り付けられ得る。ハンドル１０１は、１または複数のハンドル据え付けブラケット１０３によって、直接または据え付けプレート１０２を介して、ドア、引き出し等に取り付けられ得る。ハンドル１０１は、図に示されるように直線的かつ円柱状であるか、または任意の他の好都合な形状であり得、所望される場合、湾曲しているかまたは曲げられ得る。図１に示される実施形態において、ハンドル１０１は、２つの端部１０４を含む。ＵＶ−光源１０５は、各端部１０４または両端に据え付けられ得る。各々のＵＶ−光源１０５は、ドライバ回路１０６によって駆動され、１または複数のバッテリ１０７によって電力供給される。バッテリは、取り外しおよび／または取り替えのために、バッテリリテーナ１０８を介してアクセスされ得る。
【００２３】
本明細書中で説明されるデバイスの第２の実施形態が、図２に示される。図２は、典型的にはドアに取り付けられるハンドル機構の断面を示す概略図である。デバイスは、囲いの中に全てが含まれるか、またはデバイスの要素を囲うために適切な中空空間が存在するかもしくは作り出されたドアに直接据え付けられ得る。図２では、ドアの一方のハンドル２１０が可動であるのに対し、ドアの他方のハンドル２１１は固定されている。ユーザの要求に応じて、２つの可動ハンドル２１０または２つの固定されたハンドル２１１が共に使用され得る。図２Ａは、９０度に曲がったハンドルを示すが、本明細書中で説明されるようなハンドルは、ユーザがハンドル機構を動作させることを可能とする任意の所望される形状であり得る。少なくとも１つの可動ハンドル２１０および固定されたハンドル２１１は、少なくともＵＶ−半透明材料で作製されるべきである。ハンドル２１０および／または２１１は、接続部材２２０を介して接続され得る。１実施形態において、接続部材２２０は、図２に示されるようなスプラインギアの形態であり得、スプラインギアは、従来的なドアラッチ機構に直接またはドアラッチ接続手段２３０を介して動作可能に接続され得る。
【００２４】
ハンドル２１０および／または２１１は、１または複数のＵＶ−光源（単数または複数）２４０を含み得る。ＵＶ−光源（単数または複数）は、電源２５０に接続される。電源２５０は、取り外し可能なバッテリパック、固定据え付けバッテリホルダ、または、ドアハンドルの近位に密接しておりデバイスの一部であり得る他の直流自給源であり得る。代替として、電源２５０は、建物の配線の一部である交流源であり得、この場合、交流を直流に変化させる変換器が要求され得る。
【００２５】
固定されたハンドル２１１の場合、ＵＶ−光源２４０は、電線２４１を介して電源２５０へ結線で接続され得る。可動ハンドル２１０の場合、ＵＶ−光源２４０は、ＵＶ−光源２４０と電源２５０との間の電気的接続を保ちながらハンドル２１０の動きを可能とする任意の適切な接続手段を介して、電源２５０に動作可能に接続され得る。図２Ａに示されるそのような接続手段の一例は、ＵＶ−光源２４０を電力伝達ポスト２４３に接続する電線２４２を含む。電力伝達ポスト２４３は、第２の電線２４５を介して電源２５０に動作可能に接続される電力接触表面２４４に接触する。
【００２６】
スプラインギアを含む実施形態において、電線２４１、２４５は、図２に挿入して示されるように、オン−オフ接触２２２、および接触スイッチ２２３を有する電力スプリッタへのアクセスを提供する開口部２２１を介して電源２５０に接続し得る。このオン−オフ接触２２３は、電力デューティーサイクルまたは消毒シーケンスを開始するために用いられ得る。
【００２７】
ＵＶ−光源（単数または複数）２４０が発光ダイオード（「ＬＥＤ」）である場合、デバイスはまた、１または複数のＬＥＤドライバ２５１を含み得る。図２Ａに示される実施形態において、単一のＬＥＤドライバは、電源２５０内に統合され、電源２５０は、この図における取り外し可能なバッテリパックである。代替として、１または複数のＬＥＤドライバは、ＬＥＤと電源との間の電気的接触を提供するデバイス内の任意の好都合な場所に位置し得る。
【００２８】
本明細書中で説明されるデバイスの第３の実施形態が、図３に示される。この実施形態は、プレート３１の概略図であり、プレート３１は、ドアに取り付けられ得、ドアを開けるためにプレート３１が押されると作動する。図３に示されるプレート３１は、略長方形の形状であるが、プレート３１は、所望される任意の形状で形成され得る。プレート３１は、ＵＶ−透明材料で作製され、任意の適切な厚さであり得る。
【００２９】
図３に示される実施形態において、プレート３１０は、据え付けタブ３３０を介してハウジング３２０に据え付けられる。作動されていない状態において、プレート３１０は、任意の適切な態様でハウジング３２０に据え付けられ、これによって、プレート３１０がユーザによって押されると、スイッチ手段が作動されて１または複数のＵＶ光源３４０がエネルギーを与えられる結果となり、これによって、ＵＶ光でプレート３１０を内部照射する。スイッチ手段は、１または複数のばね３５０および１または複数の電気スイッチ３６０を含み得る。休息状態において、ばね（単数または複数）３５０は、ハウジング３２０から機能的な距離にプレート３１０を保持し、これによって、スイッチ（単数または複数）３６０は、電気的に開かれる。プレート３１０がユーザに押圧されると、ばね（単数または複数）３５０が縮んで、プレート３１０がスイッチ（単数または複数）３６０に接触し、スイッチを電気的に閉じる。図３は、４つのコイルばね３５０および２つのスイッチ３６０を含む実施形態を示す。ばね３５０およびスイッチ３６０の数および構成は、要求に応じて容易に変化され得ることが難なく認識されるであろう。図３は、４つの据え付けタブ３３０を示すが、任意の数のタブ、または他の手段は、それらがプレートの安全な据え付けを提供し、かつプレート３１０が押圧されるとスイッチ（単数または複数）３６０が作動されることを可能とする限り、ハウジング３２０にプレート３１０を据え付けるために用いられ得る。
【００３０】
図３に示される実施形態はまた、バッテリ３７０による電力自給を含む。図３に示される実施形態において、６つのＵＶ−発光ＬＥＤ３４０が示され、それによると、電力供給はまた、ＬＥＤドライバ３８０を含む。ＬＥＤドライバ３８０は、示されるように位置付けられる必要はないが、電力供給とＵＶ光源との間の導電を提供する任意の位置に据え付けられ得る。図３に示される実施形態は、上記のようにバッテリを含むが、ＵＶ光源（単数または複数）は、建物の配線の一部である交流源を介して電力供給され得、この場合、交流を直流に変化させる変換器が要求され得る。
【００３１】
図３に示される実施形態は、据え付けスクリュー３２１を介して下の表面に取り付けられる。しかし、ボルトもしくは爪等、ならびに、のり、エポキシ、もしくはテープ等の接着手段を含む、デバイスを下の表面にしっかりと据え付けるための任意の適切な手段が用いられ得、代替として、デバイスが電力自給を含むときには、デバイスは、例えば取り外し可能な接着剤、Ｖｅｌｃｒｏ（登録商標）、または他の同様の手段を用いて下の表面に取り外し可能に据え付けられ得る。
【００３２】
さらなる実施形態が図４に示される。この実施形態はスイッチ４００であり、それは光スイッチであり得る。スイッチ４００は、スイッチを作動および停止させるためのプレート４１０と、回路４３０が囲われるハウジング４２０とを含む。プレート４１０は、ＵＶ−透過性材料で作製される。スイッチ４００がユーザによって作動されるとき、１または複数のＵＶ−光源４５０は、エネルギーを与えられる。ＵＶ−光源（単数または複数）４５０にエネルギーを与えるための電力は、典型的には、少なくとも１つの電線４４０を介して、切り替えられた回路から引き出される。ＵＶ光は、スイッチ４００が「オン」位置にあるときに、エネルギーを与えられ続け得、代替として、回路４３０はまた、所望の期間の後にＵＶ光源（単数または複数）を停止させるタイマを含み得、所望される場合、タイマは、エンドユーザによって予め設定されるかまたは調節され得る。改善された安全性のために、切り替えられた回路が、作動時に、まず予め決められた長さの時間にわたって止まり、それから消毒サイクルを作動し、続いて停止させるかまたはエネルギーを与えないことが所望され得る。
【００３３】
図５に示される実施形態は、ショッピングカートのための自己消毒ハンドル５１０である。ハンドル５１０は、ＵＶ−透過性材料（単数または複数）から作製される。図５に示されるように、ハンドル５１０は、１または複数のＵＶ光源５５０を統合し得る。１実施形態において、ＵＶ光源（単数または複数）は、ＬＥＤであり得る。カートは車輪５２０を含む。カートはまた、少なくとも１つのバッテリを含み得る電源５３０を含み得る。車輪５２０のうちの１または複数は、カートが押されて車輪５２０が回るときに、少なくとも１つのバッテリを充電する発電ユニットを介して、電源５３０に取り付けられ得る。代替として、カートは、コードおよびプラグか、またはカートがドッキングステーションもしくは他のレセプタクル内に置かれるときに、バッテリが充電されることを可能とする電気的接触のいずれかを介して、外部のバッテリ充電手段へのカートの取り付けのための手段を設けられ得るか、または、カートは、単に取り替え可能なバッテリ電源を用い得る。ＵＶ光源がＬＥＤであるとき、１または複数の電源（単数または複数）５３０のうちの１または複数はまた、ＬＥＤドライバ５４０を統合し得る。用いられるＬＥＤの数、および電源（単数または複数）が直列で配線されるかまたは並列で配線されるかに依存して、１より多いＬＥＤドライバ５４０が要求され得る。電源５３０はまた、加速度計もしくは等価回路、ならびに予め決められた長さの時間にわたってＵＶ光源（単数または複数）５５０を作動するタイマ等の、カートが動いているときを検出するための手段を含み得る。タイマは、電源５２が車輪５２０から全く動きを感知しなくなると、一定の時間、ＵＶ光源（単数または複数）５５０を作動し得る。代替として、タイミングシステムが車輪５２０から初期挙動を感知すると、タイミングシステムが作動される。図５に示される実施形態において、ハンドル５１０は、ハンドルの各端部に、相互に向かい合うＬＥＤを含む。この特定の実施形態はまた、ハンドルにおいて９０度回った各端部に、各々が９０度回った方向に向く１つの追加のＬＥＤを含む。この構成は、単に例示的に過ぎず、所望および要求される場合、当業者は、ハンドル内の異なる所に、また、汚染の影響を受ける任意の表面を覆うようにかごのエリアの周りに、ＵＶ光源を位置付けることが可能である。
【図１】
2021526905.tif 000003
【図２】
2021526905.tif 000004
【図３Ａ】
2021526905.tif 000005
【図３Ｂ】
2021526905.tif 000006
【図４Ａ】
2021526905.tif 000007
【図４Ｂ】
2021526905.tif 000008
【図５Ａ】
2021526905.tif 000009
【図５Ｂ】
2021526905.tif 000010
【国際調査報告】
2021526905.tif 000011